(57)【要約】【課題】長時間のデジタル音楽信号或はデジタル映像信号等のデジタル情報を記録する記録媒体、さらに該記録媒体に記録された前記デジタル情報を再生する再生装置において、前記記録媒体を回転せずにしかも非接触で前記デジタル情報の再生を可能にした記録媒体及び再生装置を提供する。【解決手段】上記記録媒体は、方形の上部保護層１１と下部保護層１２と、これら両者の間に配された記録層１３とで成るＩＣディスク１が用いられ、さらに記録層１３には上記デジタル情報を記録する不揮発性のＩＣメモリー１３１を備えている。また、上記再生装置は、ＩＣディスク１が装着された状態において記録層１３に配されたアンテナ部１３５と略対向する位置に配されたアンテナ部２１との間で電磁誘導等により非接触でＩＣディスク１（ＩＣメモリー１３１）に記録された上記デジタル情報を読み出して再生するようにした。【選択図】図３
2011002973.tif 000002
【特許請求の範囲】
【請求項１】
長時間のデジタル音声信号或はデジタル映像信号等のデジタル情報を記録する記録媒体であって、
該記録媒体が、方形の上部保護層と下部保護層と、これら両者の間に配された記録層とから成り、
さらに該記録層が、
外部から電磁誘導等により非接触で電源を受電する受電手段と、
前記デジタル情報を記録する不揮発性のＩＣメモリーと、
該ＩＣメモリーに予め記録された前記デジタル情報を読み出すための読出制御情報を外部から電磁誘導等により非接触で受信する受信手段と、
該受信手段により受信された前記読出制御情報に基づいて前記ＩＣメモリーに予め記録された前記デジタル情報を読み出す読出手段と、
該読出手段により読み出された前記デジタル情報を外部に電磁誘導等により非接触で送信する送信手段とを備えたことを特徴とするＩＣディスク。
【請求項２】
長時間のデジタル音声信号或はデジタル映像信号等のデジタル情報を記録する記録媒体であって、
該記録媒体が、方形の上部保護層と下部保護層と、これら両者の間に配された記録層とから成り、
さらに該記録層が、
外部から電磁誘導等により非接触で電源を受電する受電手段と、
前記デジタル情報を記録する不揮発性のＩＣメモリーと、
前記デジタル情報を書き込むための書込制御情報と前記デジタル情報とを外部から電磁誘導等により非接触で受信する受信手段と、
該受信手段により受信された前記書込制御情報に基づいて同受信手段により受信された前記デジタル情報を前記ＩＣメモリーに書き込んで記録する記録手段と、
該記録手段により又は予め前記ＩＣメモリーに記録された前記デジタル情報を読み出すための読出制御情報を外部から電磁誘導等により非接触で受信する受信手段と、
該受信手段により受信された前記読出制御情報に基づいて前記ＩＣメモリーに前記記録手段により又は予め記録された前記デジタル情報を読み出す読出手段と、
該読出手段により読み出された前記デジタル情報を外部に電磁誘導等により非接触で送信する送信手段とを備えたことを特徴とするＩＣディスク。
【請求項３】
上記記録層に備えられた不揮発性のＩＣメモリーが、複数の不揮発性のＩＣメモリーチップ或は複数の層で構成されたことを特徴とする請求項１又は２記載のＩＣディスク。
【請求項４】
長時間のデジタル音声信号或はデジタル映像信号等のデジタル情報を再生する再生装置であって、
該再生装置が、
上記ＩＣディスクを装着する装着手段と、
該装着手段により装着された上記ＩＣディスクに電磁誘導等により非接触で電源を給電する給電手段と、
前記ＩＣディスクに予め記録されたデジタル情報を読み出すための読出制御情報を電磁誘導等により非接触で送信する送信手段と、
該送信手段により送信された前記読出制御情報に基づいて前記ＩＣディスクに予め記録された前記デジタル情報を読み出すとともに、読み出された前記デジタル情報を電磁誘導等により非接触で受信する受信手段と、
該受信手段により受信された前記デジタル情報に貼り付けられた曲目や題名それに演奏時間等のテキスト情報を表示する表示手段と、同受信手段により受信された前記デジタル情報を再生する再生手段とを備えたことを特徴とするＩＣディスクプレーヤー。
【請求項５】
長時間のデジタル音声信号或はデジタル映像信号等のデジタル情報を再生する再生装置であって、
該再生装置が、
上記ＩＣディスクを装着する装着手段と、
該装着手段により装着された上記ＩＣディスクに電磁誘導等により非接触で電源を給電する給電手段と、
前記ＩＣディスクに前記デジタル情報を書き込むための書込制御情報と前記デジタル情報とを電磁誘導等により非接触で送信する送信手段と、
該送信手段により送信された前記書込制御情報に基づいて同送信手段により送信された前記デジタル情報を前記ＩＣディスクに書き込んで記録する記録手段と、
該記録手段により又は予め前記ＩＣディスクに記録された前記デジタル情報を読み出すための読出制御情報を電磁誘導等により非接触で送信する送信手段と、
該送信手段により送信された前記読出制御情報に基づいて前記ＩＣディスクに前記記録手段により又は予め記録された前記デジタル情報を読み出すとともに、読み出された前記デジタル情報を電磁誘導等により非接触で受信する受信手段と、
該受信手段により受信された前記デジタル情報に貼り付けられた曲名や題名それに演奏時間等のテキスト情報を表示する表示手段と、同受信手段により受信された前記デジタル情報を再生する再生手段とを備えたことを特徴とするＩＣディスクプレーヤー。
【発明の詳細な説明】
【技術分野】
【０００１】
本発明は、長時間のデジタル音声信号或はデジタル映像信号等のデジタル情報を記録する記録媒体、及び長時間のデジタル音声信号或はデジタル映像信号等のデジタル情報を再生する再生装置等に関するものである。
【背景技術】
【０００２】
従来、長時間のデジタル音声信号或はデジタル映像信号等の大量のデジタル情報を記録する記録媒体は、ＣＤやＤＶＤ等のように、前記デジタル情報の再生時に回転させる必要から円盤状の記録媒体（ディスク）が用いられ、これをプラスチックケース等に収めて棚に並べるなどして保管するようにしている。さらに記録する前記デジタル情報の記録形態によってＲＯＭ（Ｒｅａｄ  Ｏｎｌｙ  Ｍｅｍｏｒｙ）形式の他にＲ（Ｒｅｃｏｒｄａｂｌｅ）形式或はＲＷ（ＲｅＷｉｔａｂｌｅ）形式等のものがある。
【０００３】
またそれらの中で、ＲＯＭ形式（ＣＤ或はＤＶＤと呼んでいる）のものは、透明な樹脂層と硬い保護層と、それら両層の間に配された光を反射する反射層との３層構造になっていて（反射層が２層で構成されるものもある）、さらに反射層には製造の段階でプレスしてトラッキング（情報を書き込む螺旋状の線）に沿って蛇行してピット（光を反射しない突起）を形成して前記デジタル情報を記録するようにしている。
【０００４】
また、Ｒ形式（ＣＤ−Ｒ或はＤＶＤ−Ｒと呼んでいる）のものは、透明な樹脂層と硬い保護層と、それら両層の間に配された光を反射する反射層と、該反射層の上面に配された記録層との４層構造になっていて（記録層が２層で構成されるものもある）、前記反射層には情報を書き込むための螺旋状のグループ（案内溝）が彫られ、さらに前記記録層には有機色素が用いられていて、該有機色素に前記グループに沿ってレーザー光を照射して有機色素を焼いて（破壊して）ピットを形成して前記デジタル情報を記録するようにしている。
【０００５】
また、ＲＷ形式（ＣＤ−ＲＷ或はＤＶＤ−ＲＷと呼んでいる）のものは、Ｒ形式同様の構造の中で記録層には相変化現象を持つ特殊な合金が用いられていて、該合金に前記グループに沿ってレーザー光を照射して熱して相変化現象を起こさせてピットを形成して前記デジタル情報を記録するようにしている。
【０００６】
また、このようにして前記記録媒体に記録された前記デジタル情報を再生するには、その記録媒体（ディスク）を回転させて、その内から外へ向けてトラッキング或はグループに沿ってレーザー光を照射して、その時照射されたレーザー光の反射光の変化を検出して、電気信号（ＲＦ信号）を得て記録媒体に記録されたデジタル情報を読み出して、さらにこのようにして読み出されたデジタル情報を再生するようにしている。
【０００７】
また、近年、ＰＣ（パソコン）或は携帯端末等を使って、ＣＤ或はＤＶＤディスク等からファイル形式で読出した（リッピングした）又は、インターネット経由でレコード会社或は映画会社等の音楽データーベース或は映像データーベース等サーバーからダウンロードしてファイル形式で読出した音楽ファイル或は映像ファイル等をデコードして前記デジタル情報を再生するようにしたものがある。
【発明の概要】
【発明が解決しようとする課題】
【０００８】
しかしながら、上記した記録媒体（ディスク）は、非常に反りに弱く、その反りのために、該記録媒体（ディスク）に記録された前記デジタル情報を再生する際に照射されたレーザー光が偏って屈折してその焦点を歪ませて、ピットを正しく捉えることができず、読み取りエラーやノイズ発生の原因になる。
【０００９】
さらに、レーザー光の照射面に傷や汚れがあると、再生時に傷や汚れで照射されたレーザー光が反射或は散乱してピットに届かないなどで読み取りエラーやノイズ発生の原因になる。
【００１０】
また、反った記録媒体（ディスク）は、再生の際に水平回転しないので、再生装置に備えられて記録媒体（ディスク）を乗せて回転するモーター（スピンドルモーター）の回転軸に負担をかけてその寿命を縮める。
【００１１】
また、Ｒ形式或はＲＷ形式のものでは、記録層が光に反応するので、記録後に太陽光等の強い光を当てると記録された前記デジタル情報が破壊され読み取れなくなるうえに、特に頻繁に記録層にレーザー光を照射して高速読み取りが繰り返されるとピットの形が崩れて、最後には記録された前記デジタル情報が読み取れなくなる恐れがあるなど、光に対して弱い性質を持っている。
【００１２】
さらに、上記した再生装置は、前記記録媒体（ディスク）を回転させる必要があるためにモーター（スピンドルモーター）を必要とし、さらには該モーター（スピンドルモーター）の回転速度を制御して線速度一定（ＣＬＶ：Ｃｏｎｓｔａｎｔ  Ｌｉｎｅａｒ  Ｖｅｒｏｃｉｔｙ）を保たせるための高精度のスピンドルサーボ機構、照射したレーザー光が記録層のピットに常に正確に焦点を結ぶようにその焦点を制御するための高精度のフォーカスサーボ機構、照射したレーザー光が記録層の前記デジタル情報が書き込まれたトラッキングを正確に捉えて蛇行するようにその照射位置を制御する高精度のトラッキングサーボ機構等を必要とし、再生装置を高価にする。
【００１３】
このため、前記記録媒体（ディスク）に記録された前記デジタル情報を再生するために使用するモーター（スピンドルモーター）及び各種サーボ機構等の機構部の大型重量化、それに前記機構部の経年変化等による故障で寿命を縮め、さらには各種の高精度のサーボ機構等によって高価なものにするうえに、振動する車載用等では備えられた再生装置の各種サーボ機構等の精度を保たせるための高度な振動対策等を図る必要がある。
【００１４】
また、ＰＣ（パソコン）或は携帯端末等を使ってファイル形式で読出した音楽ファイル或は映像ファイル等をデコードして前記デジタル情報を再生するようにしたものは、そのための操作それにファイル管理等の習得が老人や機会音痴の人それに子供等にとって困難である。
【課題を解決するための手段】
【００１５】
この発明は、上記課題を解決するために成されたもので、
請求項１に記載のＩＣディスクは、長時間のデジタル音声信号或はデジタル映像信号等のデジタル情報を記録する記録媒体であって、
該記録媒体が、方形の上部保護層と下部保護層と、これら両者の間に配された記録層とから成り、
さらに該記録層が、
外部から電磁誘導等により非接触で電源を受電する受電手段と、
前記デジタル情報を記録する不揮発性のＩＣメモリーと、
該ＩＣメモリーに予め記録された前記デジタル情報を読み出すための読出制御情報を外部から電磁誘導等により非接触で受信する受信手段と、
該受信手段により受信された前記読出制御情報に基づいて前記ＩＣメモリーに予め記録された前記デジタル情報を読み出す読出手段と、
該読出手段により読み出された前記デジタル情報を外部に電磁誘導等により非接触で送信する送信手段とを備えたことを特徴とする。
【００１６】
さらに請求項２に記載のＩＣディスクは、長時間のデジタル音声信号或はデジタル映像信号等のデジタル情報を記録する記録媒体であって、
該記録媒体が、方形の上部保護層と下部保護層と、これら両者の間に配された記録層とから成り、
さらに該記録層が、
外部から電磁誘導等により非接触で電源を受電する受電手段と、
前記デジタル情報を記録する不揮発性のＩＣメモリーと、
前記デジタル情報を書き込むための書込制御情報と前記デジタル情報とを外部から電磁誘導等により非接触で受信する受信手段と、
該受信手段により受信された前記書込制御情報に基づいて同受信手段により受信された前記デジタル情報を前記ＩＣメモリーに書き込んで記録する記録手段と、
該記録手段により又は予め前記ＩＣメモリーに記録された前記デジタル情報を読み出すための読出制御情報を外部から電磁誘導等により非接触で受信する受信手段と、
該受信手段により受信された前記読出制御情報に基づいて前記ＩＣメモリーに前記記録手段により又は予め記録された前記デジタル情報を読み出す読出手段と、
該読出手段により読み出された前記デジタル情報を外部に電磁誘導等により非接触で送信する送信手段とを備えたことを特徴とする。
【００１７】
また請求項３に記載のＩＣディスクは、上記記録層に備えられた不揮発性のＩＣメモリーが、複数の不揮発性のＩＣメモリーチップ或は複数の層で構成されたことを特徴とする。
【００１８】
また請求項４に記載のＩＣディスクプレーヤーは、長時間のデジタル音声信号或はデジタル映像信号等のデジタル情報を再生する再生装置であって、
該再生装置が、
上記ＩＣディスクを装着する装着手段と、
該装着手段により装着された上記ＩＣディスクに電磁誘導等により非接触で電源を給電する給電手段と、
前記ＩＣディスクに予め記録されたデジタル情報を読み出すための読出制御情報を電磁誘導等により非接触で送信する送信手段と、
該送信手段により送信された前記読出制御情報に基づいて前記ＩＣディスクに予め記録された前記デジタル情報を読み出すとともに、読み出された前記デジタル情報を電磁誘導等により非接触で受信する受信手段と、
該受信手段により受信された前記デジタル情報に貼り付けられた曲目や題名それに演奏時間等のテキスト情報を表示する表示手段と、同受信手段により受信された前記デジタル情報を再生する再生手段とを備えたことを特徴とするＩＣディスクプレーヤー。
【００１９】
また請求項５に記載のＩＣディスクプレーヤーは、長時間のデジタル音声信号或はデジタル映像信号等のデジタル情報を再生する再生装置であって、
該再生装置が、
上記ＩＣディスクを装着する装着手段と、
該装着手段により装着された上記ＩＣディスクに電磁誘導等により非接触で電源を給電する給電手段と、
前記ＩＣディスクに前記デジタル情報を書き込むための書込制御情報と前記デジタル情報とを電磁誘導等により非接触で送信する送信手段と、
該送信手段により送信された前記書込制御情報に基づいて同送信手段により送信された前記デジタル情報を前記ＩＣディスクに書き込んで記録する記録手段と、
該記録手段により又は予め前記ＩＣディスクに記録された前記デジタル情報を読み出すための読出制御情報を電磁誘導等により非接触で送信する送信手段と、
該送信手段により送信された前記読出制御情報に基づいて前記ＩＣディスクに前記記録手段により又は予め記録された前記デジタル情報を読み出すとともに、読み出された前記デジタル情報を電磁誘導等により非接触で受信する受信手段と、
該受信手段により受信された前記デジタル情報に貼り付けられた曲名や題名それに演奏時間等のテキスト情報を表示する表示手段と、同受信手段により受信された前記デジタル情報を再生する再生手段とを備えたことを特徴とする。
【発明の効果】
【００２０】
この発明によれば、請求項１及び２又は３記載のＩＣディスク（記録媒体）は、長時間のデジタル音声信号或はデジタル映像信号等のデジタル情報を記録する記録媒体が方形の上部保護層と下部保護層と、これら両者の間に配された記録層とで成り、されに該記録層に前記デジタル情報を記録する不揮発性のＩＣメモリーが配されていて、前記記録層（記録媒体）が外部から電磁誘導等により非接触で電源を受電するとともに、前記ＩＣメモリーに対してする前記デジタル情報の書き込み（記録）及び読み出し等を外部から電磁誘導等により非接触でできるようにしているので、前記記録層（記録媒体）が外光等の光の影響を受けないうえに、前記上部保護層或は下部保護層に傷や汚れがあっても前記デジタル情報の読出しエラーやノイズ発生等の問題は全く生じない。
【００２１】
さらに、前記デジタル情報の書き込み（記録）及び読み出し等を外部から電磁誘導等により非接触で行えるようにしているので、前記上部保護層及び下部保護層（表面及び裏面）ともに印刷あるいはラベルの貼り付け等ができ、これにより例えば表面に演奏者や楽団目それにアルバムのタイトル等を、裏面に曲名や演奏時間等を表示する等のことができる。
【００２２】
また、ＣＤやＤＶＤ等同様に、プラスチックケース等に収めて棚に並べるなどして保管することができるので、老人や子供でも従来同様の感覚で扱える。また、収めるプラスチックケース等は、ＣＤやＤＶＤ等のようにその中心部を支えるための爪を設ける必要が無いので、ケースの製造が容易で安価にできる。
【００２３】
また、記録媒体にＩＣメモリーが用いられているので、前記デジタル情報の記録がファイル形式ででき、これにより、前記デジタル情報の記録の形式等の高規格化が容易である。
【００２４】
また、請求項４又は５記載のＩＣディスクプレーヤー（再生装置）は、装着された上記ＩＣディスクに電磁誘導等により非接触で電源を給電し、さらには、該ＩＣディスクへの前記デジタル情報の記録それに記録された前記デジタル情報の読み出し及び再生等を電磁誘導等により非接触でできるので、それらの操作がＩＣディスク（記録媒体）を回転させないででき、このため、ＣＤやＤＶＤ等の再生装置に備えられているモータ（スピンドルモーター）それに各種の高精度のサーボ機構等が不要になって、その分、再生装置の小型軽量化が計られるうえに再生装置を安価にする。
【００２５】
また、ＩＣディスク（記録媒体）を回転させないうえに各種のサーボ機構等が無いので、ＩＣディスクの装着が電磁誘導等による前記デジタル情報の送受信が可能な範囲で略対向する形ででき、ＩＣディスクの装着が容易であるうえに、ＩＣディスクをケースに収めたままの状態でも再生が可能になる。
【００２６】
また、同理由でＩＣディスクの装着が容易であるために、振動対策等の解決が容易で特に車載用等に適するうえに、再生装置の小型軽量化に加えて製造が簡略化できる。また、モーターやサーボ機構等の機械的な可動部を無くしてすべてを電気・電子回路で構成できるので経年変化それに故障等がきわめて少なく寿命の長い再生装置が提供できる。
【００２７】
また、モーター（スピンドルモーター）それに各種の高精度のサーボ機構が不要になったスペースに複数のＩＣディスクを装着して、装着された複数のＩＣディスクの中から目的の曲目や題名が記録されたディスクを検索して再生、さらには装着された複数のＩＣディスクを順に再生することが容易になる。
【図面の簡単な説明】
【００２８】
【図１】この発明の一実施形態であるＩＣディスク１の主要部の構成図を示す概略断面図である。
【図２】この発明の一実施形態であるＩＣディスクプレーヤー２の概略外観斜視図である。
【図３】この発明の一実施形態であるＩＣディスク１に配された記録層１３とＩＣディスクプレーヤー２との回路構成を示す概略ブロック図である。
【発明を実施するための形態】
【００２９】
以下、この発明のＩＣディスク１及びＩＣディスクプレーヤー２について、その実施形態を図面を使って説明する。
【００３０】
図１は、この発明の一実施形態であるＩＣディスク１（Ｉｎｔｅｇｒａｔｅｄ  Ｃｉｒｃｕｉｔ  Ｄｉｓｋ：ＩＣＤ）の主要部の構成図を示す概略断面図である。同図において、ＩＣディスク１は例えば一辺がＣＤやＤＶＤ等ディスクの直径と同サイズで方形の上部保護層１１と下部保護層１２と、これら両者の間に配された記録層１３とで成り、さらに記録層１３は後に説明の図３で示されるような回路構成をしていて、その構成要素のすべてが配された一枚構造になっているうえに、上部保護層１１と下部保護層１２との間に接着しあるいはモールドなどして上部保護層１１と下部保護層１２とを形成するなどして封止されていて、ＩＣディスク１を一枚構造のものにしている。
【００３１】
なお、ＩＣディスク１の記録層１３への各構成要素の配設及び実装それに記録層１３の封止等は、前記デジタル情報の読み出しあるいは書き込みなどをする際に用いられる電磁誘導等による無線通信の通信性能の確保、ＩＣディスク１の温度や湿度などの変化に対する保護、電気的絶縁の保護、発生する熱の拡散、曲げや点圧等からの保護、気密、磁気対策それに価格等を考慮して行う必要があるがここではそれらの方法、方式等を特に限定しない。
【００３２】
図２は、この発明の一実施形態であるＩＣディスクプレーヤー２（ＩＣＤプレーヤー）の概略外観斜視図である。同図において、ＩＣディスクプレーヤー２は、ケース３の前面に操作ボタン２５及び表示部２６それにＩＣディスク１を装着するための挿入口７等が配され、さらにその内部は後に説明の図３で示されるような構成をしている。
【００３３】
図３は、この発明の一実施形態であるＩＣディスク１に配された記録層１３とＩＣディスクプレーヤー２との回路構成を示す概略ブロック図である。同図において、記録層１３はＩＣメモリー１３１、ＣＰＵ１３２、復調器１３３、変調器１３４、アンテナ部１３５それに電源部１３６等で構成されていて、これらのものは一枚の基板上に配されて実装されている。
【００３４】
さらに、ＩＣメモリー１３１は、不揮発性のＩＣメモリーが用いられ、長時間のデジタル音声信号或はデジタル映像信号等のデジタル情報を予め製造の段階で書き込んで記録（格納）し、あるいは、ＣＰＵ１３２からの制御を受けてＣＰＵ１３２からの前記デジタル情報を書き込んで記録し、さらには、記録記録された前記デジタル情報をＣＰＵ１３２からの制御を受けてＣＰＵ１３２へ送るなどをするところで、それらの機能を持つＩＣチップが用いられている。
【００３５】
なお、ＩＣメモリー１３１は、記録する前記デジタル情報の記録形態によって、前記デジタル情報の記録を予め製造の段階で書き込まれて記録されるマスクＲＯＭを用いたＲＯＭ形式のもの（この形式のＩＣメモリーを用いたＩＣディスクを単にＩＣＤと呼ぶ）の他に、前記デジタル情報の記録をユーザーが一度だけ書き込んでできるＰＲＯＭを用いたＲ形式のもの（この形式のＩＣメモリーを用いたＩＣディスクをＩＣＤ―Ｒと呼ぶ）、又は前記デジタル情報の記録を複数回書き換えてできるフラッシュＥＰＲＯＭ（フラッシュメモリー或はフラッシュＲＯＭとも呼ばれる）を用いたＲＷ形式のもの（この形式のＩＣメモリーを用いたＩＣディスクをＩＣＤ―ＲＷと呼ぶ）等に区分される。
【００３６】
また、ＩＣメモリー１３１は、複数個のＩＣメモリーチップを使って、あるいは記録層１３の両面に配し、又は複数層構造等で構成されるものであっても、また、ＣＰＵ１３２等を含む複合素子としても、さらには前記デジタル情報に貼り付けられたテキスト情報の記録をそれ専用のＩＣメモリーチップを設けてするようにしてもよい。
【００３７】
ＣＰＵ１３２は、予め格納されているプログラム（図示せず）に従って、復調器１３３からのＩＣメモリー１３１に記録された前記デジタル情報の読み出し、あるいはＩＣメモリー１３１への前記デジタル情報の書き込み等を制御する制御情報（コマンド）の解読、さらには解読された前記制御情報に従って復調器１３３からの前記デジタル情報をＩＣメモリー１３１に書き込んで記録し、また解読された前記制御情報に従ってＩＣメモリー１３１から前記デジタル情報を読み出してこれを変調器１３４へ送る。
【００３８】
復調器１３３は、アンテナ部１３５からの受信信号に重畳された前記制御情報及び前記デジタル情報を復調してこれをＣＰＵ１３２へ送る。
【００３９】
変調器１３４は、ＣＰＵ１３２からの前記デジタル情報でアンテナ部１３５より送信する送信信号を変調して該送信信号に前記デジタル情報を重畳してアンテナ部１３５へ送る。  
【００４０】
アンテナ部１３５は、例えばエッチング或は印刷等によりコイル状の導体パターンを形成したループアンテナ等が用いられ、ＩＣディスク１とＩＣディスク１を装着したＩＣディスクプレーヤー２との間で電磁誘導等による無線通信を行うための素子で、ＩＣディスクプレーヤー２に備えられたアンテナ部２１と略対向する位置に配されて、ＩＣディスク１が装着されたＩＣディスクプレーヤー２からの送信電波を電磁誘導等により受信して、これを前記デジタル情報が重畳された受信信号に変換して復調器１３３へ送り、さらには変調器１３４からの前記デジタル情報が重畳された送信信号を送信電波に変換してＩＣディスクプレーヤー２へ送信する。
【００４１】
なお、アンテナ部１３５は、これに接続される復調器１３３及び変調器１３４等の間に規定の受信信号及び送信信号のみを通すフィルターが設けられ、さらにこれに接続される復調器１３３及び変調器１３４等は電磁誘導等による無線通信の性能と安定性、それにＩＣディスクプレーヤー２に備えられるアンテナ部２１との対向位置等を考慮して配置する必要があるがここではそれらの構造、方式等を特に限定しない。
【００４２】
電源部１３６は、ＩＣメモリー１３１、ＣＰＵ１３２、復調器１３３、それに変調器１３４等の各部へ電源を供給するところで、アンテナ部１３５においてＩＣディスク１が装着されたＩＣディスクプレーヤー２からの送信電波を電磁誘導等により受信して誘起された電波エネルギー（電力）を整流し、さらに平滑等して規定の直流電圧電源を得ている。
【００４３】
次に、ＩＣディスクプレーヤー２は、アンテナ部２１、変調器２２、復調器２３、ＣＰＵ２４、操作部２５、表示部２６、再生部２７、さらには電源部２８等で構成されていて、それぞれは一枚のあるいは複数枚の基板上に配されて、図２に示すＩＣディスクプレーヤー２に設けられたケース３の中にビス止め等で固定して納められている。
【００４４】
アンテナ部２１は、例えばエッチング或は印刷等によりコイル状の導体パターンを形成したループアンテナ等が用いられ、図２に示すＩＣディスクプレーヤー２の挿入口４にＩＣディスク１が挿入され装着された状態でＩＣディスク１に備えられたアンテナ部１３１とＩＣディスクプレーヤー２との間で電磁誘導等による無線通信を行うための素子で、ＩＣディスク１に備えられたアンテナ部１３１と略対向する位置に配されて、ＩＣディスク１からの送信電波を電磁誘導等により受信して、前記デジタル情報が重畳された受信信号に変換してこれを復調器２３へ送り、さらには変調器２２からの前記デジタル情報が重畳された送信信号を送信電波に変換してＩＣディスク１へ送信する。
【００４５】
なお、アンテナ部２１は、これに接続される復調器２３及び変調器２２等の間に規定の受信信号及び送信信号のみを通すフィルターが設けられ、さらにこれに接続される復調器２３及び変調器２２等は電磁誘導等による無線通信の性能と安定性、それにＩＣディスク１に備えられるアンテナ部１３５との対向位置等を考慮して配置する必要があるがここではそれらの構造、方式等を特に限定しない。
【００４６】
変調器２２は、ＣＰＵ１３２からの前記デジタル情報でアンテナ部２１より送信する送信信号を変調して該送信信号に前記デジタル情報を重畳してアンテナ部２１へ送る。
【００４７】
復調器２３は、アンテナ部２１からの受信信号に重畳された前記デジタル情報を復調して得られた前記デジタル情報をＣＰＵ１３２へ送る。
【００４８】
ＣＰＵ２４は、予め格納されているプログラム（図示せず）に従って、操作部２５からのキー操作等によるキー信号を受けて、該キー信号に従ってＩＣディスク１に記録された前記デジタル情報を読み出し、あるいはＩＣディスク１へ前記デジタル情報を書き込むための制御情報を変調器２２へ送り、さらには復調器２３からの前記デジタル情報を受けて、該デジタル情報に含まれた例えば曲数或は曲番（トラックＮＯ）それに演奏時間等のテキスト情報を表示信号に変換して表示部２６へ、それにデジタル音声信号或はデジタル映像信号等を再生部２７へ送る。
【００４９】
操作部２５は、キー操作等により発生するキー信号をＣＰＵ２４へ送って、ＩＣディスク１に記録された前記デジタル情報を読み出して、読み出された前記デジタル情報に含まれた前記テキスト情報を表示部２６へ、それにデジタル音声信号或はデジタル映像信号等を再生部２７へ送り、あるいは前記デジタル情報をＩＣディスク１へ書き込む等の操作をする。なお、操作部２５はリモコン操作とし、あるいは両方を併用してもよい。また、操作部２５は表示部２６の画面上にタッチパネル等を配して、該タッチパネルをタッチして操作する画面タッチ操作方式を採用してもよい。
【００５０】
表示部２６は、ＣＰＵ２４からの前記デジタル情報に含まれた曲数或は曲番（トラックＮＯ）それに演奏時間等のテキスト情報に係る表示信号を受けて前記テキスト情報を表示する。なお、前記テキスト情報の表示信号への変換は、ＣＰＵ２４に変えて表示部２６で行ってもよい。また、表示部２６の表示はモニター或はテレビ画面等を用いてするようにしてもよい。
【００５１】
再生部２７は、ＣＰＵ２４からの前記デジタル情報に含まれたデジタル音声信号或はデジタル映像信号等（ＰＣＭデーター等）はＡＤ変換し増幅して出力端子２９へ送る。なお、該ＡＤ変換はＣＰＵ２４においてしてもよく、また、デジタル音声信号或はデジタル映像信号等の出力端子２９への伝送は、ＣＰＵ２４あるいは再生部２７においてＡＤ変換ぜずに、そのまま（ＰＣＭデーター等のまま）伝送するようにしてもよい。特に、デジタル映像信号それに文字情報等はそのまま送って、モニター或はテレビ画面等で表示信号に変換して表示するようにする。
【００５２】
電源部２８は、変調器２２、復調器２３、ＣＰＵ２４、操作部２５、表示部２６、それに再生部２７等の各部へ電源を供給するところで、供給されたＡＣ電源を整流し、さらに平滑等して規定の直流電圧電源を得ている。
【００５３】
また、電源部２８は、例えばアンテナ部２１同様の電磁誘導用の一次コイル（図示せず）を設けて、該一次コイルにＡＣ電源又はスイッチングレギュレーター方式等のものでは内部のスイッチング電源（ＡＣ）を供給するとともに、ＩＣディスク１の記録層１３には前記一次コイルに対向する位置に二次コイル（図示せず）を設けて、電磁誘導等によりＩＣディスク１へ電源を供給できるようにしてもよい。なおこの場合、ＡＣ電源又はスイッチング電源の電圧を降圧等して用いるのが好ましい。また、一次コイルをアンテナ部２１に代えて、さらに二次コイルをアンテナ部１３５に代えて利用出来るようにしてもよい。
【００５４】
また、ＩＣディスク１及びＩＣディスクプレーヤー２は、アンテナ部１３５とアンテナ部２１とにおける電磁誘導等の影響が他に影響しないように、それ等が対向する面の部分を除いて、全面をシールドするとよい。
【００５５】
また、ＩＣディスクプレーヤー２に備えられるアンテナ部２１は、分離してアンテナ部専用の基盤としてもよく、さらに該基板を複数枚配して、ＩＣディスクプレーヤー２に装着された複数枚のＩＣディスク１のそれぞれに対向するようにしてもよい。
【００５６】
次に、ＩＣディスクプレーヤー２を使ってＩＣディスク１に記録された前記デジタル情報を読み出して再生する手順を説明する。
【００５７】
まず、ＩＣディスク１がＩＣディスクプレーヤー２の挿入口４へ挿入されて装着された状態において、操作部２５を操作して電源スイッチ（図示せず）をオンしてＩＣディスクプレーヤー２に電源が投入されると、電源部２８から安定した規定の直流電圧電源がＩＣディスクプレーヤー２の各部に供給されるとともにＣＰＵ２４がリセット（初期化）される。なお、ＣＰＵ２４のリセットは、ＩＣディスク１がＩＣディスクプレーヤー２に装着された後にされるものでもある。なお、電源投入の操作は、電源スイッチ（図示せず）を別に設けて行なってもよい。
【００５８】
このようにしてＣＰＵ２４がリセットされると、ＣＰＵ２４から前記デジタル情報を読み出すための制御情報が変調器２２へ送られ、そこで送信信号（搬送波）を前記制御情報で変調して該送信信号に前記制御情報を重畳して、これをアンテナ部２１へ送り、さらにアンテナ部２１で前記制御情報が重畳された前記送信信号（送信電力）を送信電波（電波エネルギー）に変換してＩＣディスク１へ送信する。
【００５９】
続いて、ＩＣディスク１において、ＩＣディスクプレーヤー２からの送信電波を電磁誘導等によりアンテナ部１３５で受信して、ここで前記制御情報が重畳された受信信号に変化して、さらに、復調器１３３において前記受信信号を復調して前記制御情報を得て、該制御情報をＣＰＵ１３２へ送る。
【００６０】
また、ＣＰＵ１３２において、復調器１３３から（ＩＣディスクプレーヤー２から）の前記制御情報に従って、予めＩＣメモリー１３１に記録された前記デジタル情報に含まれた例えば曲数或は曲番（トラックＮＯ）等のテキスト情報を読み出すための制御情報（ＣＥ，ＯＥ，ＲＷ信号等）それに前記テキスト情報が格納されたアドレスのアドレス情報等をＩＣメモリー１３１へ送って、ＩＣメモリー１３１から前記テキスト情報を読み出す。
【００６１】
また、このようにして読み出された前記テキスト情報は、ＣＰＵ１３２から変調器１３４へ送られ、そこで送信信号（搬送波）を変調し、該送信信号に重畳されてアンテナ部１３５へ送られる。さらに、アンテナ部１３５は、前記テキスト情報が重畳された前記送信信号を送信電波に変換してＩＣディスクプレーヤー２へ送信する。
【００６２】
続いて、ＩＣディスクプレーヤー２において、ＩＣディスク１からの送信電波を電磁誘導等によりアンテナ部２１で受信して、ここで前記テキスト情報が重畳された受信信号に変化して、さらに、復調器２３において前記受信信号を復調して前記テキスト情報を得て、該テキスト情報をＣＰＵ１３２へ送る。
【００６３】
また、ＣＰＵ２４において、復調器２３から（ＩＣディスク１から）の前記テキスト情報を表示部２６へ送って、ＩＣディスク１のＩＣメモリー１３１に記録された前記デジタル情報に含まれた曲数或は曲番（トラックＮＯ）等のテキスト情報を表示する。
【００６４】
なお、表示部２６での前記テキスト情報等の初期表示（電源投入時の表示）は前記テキスト情報に含まれる演奏時間を“０”を表示する。
【００６５】
次に、ＩＣディスクプレーヤー２の表示部２６に前記テキスト情報が初期表示された状態で、操作部２５を操作してプレイキー（図示せず）をオンする、あるいは選択キー（図示せず）を使って曲番（トラックＮＯ）又はインデックスＮＯ等を選択した後にプレイキー（図示せず）をオンすると、これらのキー操作信号がＣＰＵ２４へ送られる。
【００６６】
さらに、ＣＰＵ２４において、操作部２５からの前記キー操作信号を受けて、ＩＣディスク１のＩＣメモリー１３１に記録された前記テキスト情報に含まれて操作部２５のキー操作により指定されたプレイ開始時の曲番（トラックＮＯ）又はインデックスＮＯ等を指定して、当該デジタル音声信号を読み出し、さらに続けて、操作部２５において演奏を中止するポーズキー（一時停止キー）あるいはストップキー（停止キー）が投入されるまで順次当該デジタル音声信号を読み出すための制御情報を変調器２２へ送る。
【００６７】
また、変調器２２において、アンテナ部２１より送信する送信信号を前記制御情報で変調して該送信信号に前記制御情報を重畳してアンテナ部２１へ送って送信電波に変換して、この送信電波をＩＣディスク１へ送信する。
【００６８】
続いて、ＩＣディスク１において、ＩＣディスクプレーヤー２からの送信電波を電磁誘導等によりアンテナ部１３５で受信して、ここで前記制御情報が重畳された受信信号に変化して、続いて、復調器１３３において前記受信信号を復調して前記制御情報を得て、該制御情報をＣＰＵ１３２へ送る。
【００６９】
また、ＣＰＵ１３２において、復調器１３３から（ＩＣディスクプレーヤー２から）の前記制御情報に従って、予めＩＣメモリー１３１に記録された前記デジタル情報に含まれたデジタル音楽信号（以下、デジタル音楽信号について説明する）を読み出すための制御情報（ＣＥ，ＯＥ，ＲＷ信号等）それに前記デジタル音楽信号が格納されたアドレスのアドレス情報等をＩＣメモリー１３１へ送って、ＩＣディスクプレーヤー２の操作部２５において早送りや停止等の操作の変更さらには読み出しが終了するまでＩＣメモリー１３１から前記デジタル音楽信号を順次読み出す。
【００７０】
このようにして読み出された前記デジタル音楽信号は、ＣＰＵ１３２から変調器１３４に送られ、そこでアンテナ部１３５より送信する送信信号を変調して該送信信号に重畳されてアンテナ部１３５へ送られる。さらに、アンテナ部１３５は、前記デジタル音楽信号が重畳された前記送信信号を送信電波に変換して、この送信電波をＩＣディスクプレーヤー２へ送信する。
【００７１】
続いて、ＩＣディスクプレーヤー２において、ＩＣディスク１からの送信電波を電磁誘導等によりアンテナ部２１で受信して、ここで前記デジタル音楽信号が重畳された受信信号に変化して、続いて、復調器２３において前記受信信号を復調して前記デジタル音楽信号を得て、該デジタル音楽信号をＣＰＵ１３２へ送る。
【００７２】
さらに、ＣＰＵ２４において、復調器２３から（ＩＣディスク１から）の前記デジタル音楽信号を再生部２７へ送って、ここでＡＤ変換してアナログ信号に変換し増幅して出力端子２９へ送って、ＩＣディスク１に記録されたデジタル音楽信号を再生する。また、前記デジタル音楽信号には曲番（トラックＮＯ）及び演奏時間等のテキスト情報が貼り付けられていてこれを表示部２６へ送ってそこで順次変化する曲番（トラックＮＯ）及び演奏時間等を表示する。
【００７３】
なお、ＣＰＵ２４は前記デジタル音楽信号をＡＤ変換して再生部２７へ送り、また、そのまま（ＰＣＭ信号のまま）出力端子２９へ送り、さらには再生部２７に光変調器また出力端子２９に光出力端子等を設けてそこへ光変調して送るようにしてもよい。
【００７４】
以上は、前記デジタル音楽情報の再生について説明したが、前記デジタル映像信号についても同様の操作によって再生できる。なお、一般には、前記デジタル音楽情報の再生にはＩＣディスクプレーヤー２にアンプが接続されるが、前記デジタル映像信号の再生にはモニター或はテレビ受像機さらにはそこに内蔵されたアンプの他に音楽・音声等再生専用のアンプ等が接続される。また、モニター或はテレビ受像機等を用いて前記デジタル映像信号（音声付）を再生する場合、該デジタル映像信号に貼り付けられた題名や再生時間等の字幕表示をモニター或はテレビ受像機等の画面上に表示して、該表示を目視して、それらの選択それに再生開始あるいは早送りや停止等の操作をできるようにする。
【実施例】
【００７５】
上記実施形態では、ＩＣディスク１に記録された長時間のデジタル音楽信号或はデジタル映像信号（音声付及び文字付を含む）等のデジタル情報（音楽データ或は映像データともいう）の再生をＰＣＭ（Ｐｕｌｓｅ  Ｃｏｄｅ  Ｍｏｄｕｌａｔｉｏｎ）信号を用いた場合について説明したが、例えばＤＳＤ（Ｄｉｒｅｃｔ  Ｓｔｒｅａｍ  Ｄｉｇｉｔａｌ）信号等、さには、データ容量や語長、サンプリング周波数、周波数応答、クロック信号あるいは解像度等が異なる各種規格のものであってもよく、ここでは特に限定しない。
【００７６】
さらに、ＩＣディスク１に記録する長時間のデジタル音楽信号或はデジタル映像信号（音声付及び文字付を含む）等のデジタル情報は、ＰＣ同様にファイル形式で記録（格納）でき、この場合、ＩＣディスク１のＩＣメモリー１３１への書込み及び読み出し等はパラレルデーターが用いられ、復調器１３３から及び変調器１３４へのシリアルデータをＣＰＵ１３２において変換し、また、ＩＣディスク１及びＩＣディスクプレーヤー２の構成を対応可能にすれば、従来から用いられている例えばＷＡＶファイルやＤＳＦファイルあるいはＭＰＥＧ−２ファイル等、さらには圧縮・解凍、暗号化、電子透かし等、その他の方式や規格のもの等であってもよく、ここでは特に限定しない。
【００７７】
また、ＩＣディスク１及びＩＣディスクプレーヤー２に備えられた変調器は、同様に備えられた復調器を対応させれば、周波数変調や位相変調あるいは振幅偏移変調、その他、送信信号の平均電力が必要量で安定するものであればよく、また、アンテナ部へ送信する送信電力それに送信周波数等の規格等につぃてもここでは特に限定しない。
【００７８】
また、ＩＣディスク１及びＩＣディスクプレーヤー２に備えられた変調器と復調器とを光変調器と光復調器とに代えて、さらに両方に備えられたアンテナ部を電磁誘導用のものから発光素子と受光素子等の光電変換或は電光変換素子等に代えて、ＩＣディスク１とＩＣディスクプレーヤー２との間でする前記デジタル情報の送受信を光通信方式でできるようにしてもよい。
【００７９】
また、ＩＣディスクプレーヤー２は、アナログ信号を入力してこれをＡＤ変換してＰＣＭ信号にして該ＰＣＭ信号を、さらにＰＣＭ信号或はＤＳＤ信号等を入力してこれを電磁誘導或は光伝送等によりＩＣディスク１へ無線で送って、ＩＣディスク１に備えられたＩＣメモリー１３１に記録するようにすることでレコーダーとしての役目を持つ。
【００８０】
また、ＩＣディスクプレーヤー２は、扱う入出力信号に対応した入出力端子を備えて、これに接続されるアンプやモニター等との間での信号の伝送を同軸或は光又は無線周波等でできるようにする。又、この場合、前記伝送の方式、規格等について、ここでは特に限定しない。
【００８１】
また、ＩＣディスクプレーヤー２は、挿入口４を縦型の他に横型としてもよく、さらに挿入口４にはＩＣディスク１の装着を複数枚して再生できるようにしてもよい。
【産業上の利用可能性】
【００８２】
本願発明は、ＩＣディスク１に長時間のデジタル音楽信号或はデジタル映像信号（音声付及び文字付を含む）等のデジタル情報を記録して、これをＩＣディスクプレーヤー２で非接触で再生できるので、前記デジタル情報に文字ファイルや画像ファイル等を扱うＰＣ用のＣＤドライバーやＤＶＤドライバー代わりの非接触式の外部記憶装置（ＩＣＤドライバー）として利用できる。
【００８３】
さらに、ＩＣディスクプレーヤー２は、再生部２７にアンプ及びスピーカー等を備えてデジタル音楽信号を再生し、また再生表示部２６に液晶モニター等を用いてデジタル映像信号を表示し、また同様の機能を持つ携帯端末としてもよく、また、ＩＣディスク１は、記録される前記デジタル情報に本や雑誌等の文字や図等をデータ化したものを用いて、これをプラスチックケースに収めて本棚等に並べて保管するようにすることで、ＣＤやＤＶＤ等と読み取り方式が異なる新たな記録媒体として、長時間の音楽や映像それに本や雑誌等の大容量の情報の記録保存用に利用できる。
【符号の説明】
【００８４】
１−ＩＣディスク
２−ＩＣディスクプレーヤー
３−ケース
４−挿入口
１１−上保護層
１２−下保護層
１３−記録層
２１−アンテナ部
２２−変調器
２３−復調器
２４−ＣＰＵ
２５−操作部
２６−表示部
２７−再生部
２８−電源部
２９−出力端子
１３１−ＩＣメモリー
１３２−ＣＰＵ
１３３−復調器
１３４−変調器
１３５−アンテナ部
１３６−電源部
【図１】
2011002973.tif 000003
【図２】
2011002973.tif 000004
【図３】
2011002973.tif 000005